(57)【要約】【課題】肌についての新しい美容効果を光照射方式により可能とする美容器を提供する。【解決手段】光源部７を内蔵するケース２と、前記光源部７から照射された光Ｌのうちで特定の範囲の波長を選択的と透過されるフィルター９と、を備え、前記フィルター９は、波長が６３３〜６５０ｎｍの範囲にある光のみを透過させる、美容器１。【選択図】  図１
2020182691.tif 000002
【特許請求の範囲】
【請求項１】
光源部を内蔵するケースと、前記光源部から照射された光の中で特定の範囲の波長を選択的に透過させるフィルターと、を備えた美容器であって、
上記フィルターは、波長が６３３〜６５０ｎｍの範囲にある光のみを透過させる、
ことを特徴とする美容器。
【請求項２】
前記光源部を内蔵する前記ケースに対して、少なくとも前記フィルターが着脱自在である、
ことを特徴とする請求項１に記載の美容器。
【請求項３】
前記フィルターは、前記ケースにおける前記光の照射側を構成するヘッドに内蔵されている、
ことを特徴とする請求項２に記載の美容器。
【発明の詳細な説明】
【技術分野】
【０００１】
本発明は、肌についての新たな美容効果が得られる美容器に関する。
【背景技術】
【０００２】
一般に、波長が約５００ｎｍ〜約１２００ｎｍの閃光を断続的に肌に照射して脱毛処理を行うことが広く行われている。
例えば、高電圧の電流をバルス状の閃光として肌（皮膚）に照射して脱毛するに際し、前記閃光の漏れを防ぐため、機器本体の光照射口を囲む位置に、ゴムなどの柔軟な弾性体からなる筒状の遮光部を配置した光脱毛機器が提案されている（例えば、特許文献１参照）。
【先行技術文献】
【特許文献】
【０００３】
【特許文献１】特開２００８−２８９８１８号公報
【発明の概要】
【発明が解決しようとする課題】
【０００４】
ところで、肌についての新しい美容効果を光照射方式によって得ることを可能にするべく、種々の試みの試行錯誤が成されている。
そこで本発明は、上述した問題点を解決し、肌についての新しい美容効果を光照射方式により可能とする美容器を提供する、ことを課題とする。
【課題を解決するための手段】
【０００５】
本発明は、前記課題を解決するため、肌に対して照射する光の波長の範囲を特定する、ことに着想して成されたものである。
即ち、本発明の美容器は、光源部を内蔵するケースと、前記光源部から照射された光の中で特定の範囲の波長を選択的に透過させるフィルターと、を備えた美容器であって、前記フィルターは、波長が６３３〜６５０ｎｍの範囲にある光のみを透過させる、美容器である。
【発明の効果】
【０００６】
前記美容器では、前記光源部から照射された光のうち、前記フィルターによって選択的と透過される波長が６３３〜６５０ｎｍの範囲にある光のみが、使用者の肌に対して照射されるので、新しい美容効果を有効に得ることが可能となる。
【０００７】
尚、前記光源部は、パルス状の閃光を１秒間に複数回照射（フラッシュ）する。
また、前記光源部は、単数または複数が用いられ、原則としてこれらと同数の前記フィルターが対として併設される。
更に、前記光源部の光源には、例えば、キセノンランプが用いられる。
また、前記特定の範囲の波長を選択的と透過されるフィルターとしては、例えば、バンドパスフィルター、カラーフィルター、ダイクロイックフィルター、ロングパスフィルター、あるいは、ショートパスフィルターが例示される。
更に、前記波長の範囲の臨界的意義には、有意性があるものと思われる。
加えて、前記光源部には、制御回路が接続され、該制御回路は、電源から給電される電力の電圧をコンデサーなどで昇圧させた高電圧の電流を、前記光源にパルス状にして印加し、該光源の発光をオンオフするなどの制御を適宜行う。
【０００８】
また、本発明には、前記光源部を内蔵する前記ケースに対して、少なくとも前記フィルターが着脱自在である、美容器も含まれる。
上記のような構造とすることで、前記ケースに対して、前記フィルターを別のフィルターに取り替えたり、あるいは、任意数のフィルターを保持するホルダーを別のフィルターを保持するホルダーに取り替えることにより、前述した新しい美容効果と、例えば、脱毛効果との複数の処理を自在に選択することができる。
【０００９】
更に、本発明には、前記フィルターは、前記ケースにおける前記光の照射側を構成するヘッドに内蔵されている、美容器も含まれる。
上記のような構造とすることで、前記フィルターを内蔵したヘッドと、別のフィルターを内蔵したヘッドとを、ヘッドごと取り替えることにより、前記新しい美容効果と脱毛効果などとの複数種類の処理を自在に選択することができる。
【図面の簡単な説明】
【００１０】
【図１】（Ａ）は本発明による一形態の美容器を示す側面図、（Ｂ）はその平面図、（Ｃ）はその垂直断面図、（Ｄ）はその水平断面図である。
【図２】（Ａ）は前記とは異なる形態の美容器を示す側面図、（Ｂ）は一部に断面を含む前記同様の側面図である。
【発明を実施するための形態】
【００１１】
以下において、本発明を実施するための形態について説明する。尚、図１（Ａ）〜（Ｄ）では図示の左側を先端側と称し、図示の右側を後端側と称する。
本発明による一形態の美容器１は、主に個人用であり、図１（Ａ），（Ｂ）に示すように、全体の外観が板状で且つ直方体状を呈し、後端側を含む大部分を構成するケース２と、該ケース２の先端（照射）側に着脱自在に接続された先端側のヘッド８とから構成されている。前記ケース２とヘッド８との外郭は、何れも合成樹脂の射出成形体からなる。
前記ケース２において対向する一対の側面３は、平面視で長手方向の中間部が中心側に緩く凹んだ対称の湾曲面からなり、使用者が片手で掴み易くされており、一方の側面３には、後述する閃光の照射をオンオフ操作するためのスイッチ５が配置されている。
【００１２】
前記ケース２の後端面には、電源コード（ケーブル）４が接続され、該電源コード４は、ケース２内に配置された制御回路６と電気的に接続されている。図１（Ｃ），（Ｄ）に示すように、該制御回路６は、図示しないコンデンサ、パルス回路、タイマーなどから構成され、上記電源コード４から給電された電力の電圧を昇圧した高電圧の電流を、次述する光源部７にパルス状に印加し、該光源部７の発光を前記スイッチ５の操作に応じてオンオフするなどの制御を適宜行う。
また、制御回路６の先端側には、前記ケース２に内蔵された光源部７が接続されている。該光源部７は、例えば、キセノンランプを光源とし、該光源部７では、上記制御回路６から送信されたパルス状の高圧電流を、光（フラッシュライト、閃光）Ｌに変換して、先端側に向けて照射する。前記光Ｌは、１秒間に複数回（例えば、数〜８ショット／秒）に亘り断続的で且つ連続状にして照射される。
【００１３】
一方、前記ヘッド８は、底浅の箱形状を呈する外郭の先端面１０に開口する照射用筒体１１と、該照射用筒体１１の後端側に配置され、且つ前記光源部７と対向する当該ヘッド８内に内蔵されたフィルター９が位置している。該フィルター９は、例えば、バンドパスフィルターからなり、前記光（白色光）Ｌのうち、波長が６３３〜６５０ｎｍの範囲にある光のみを先端面１０側に透過させる。
尚、上記照射用筒体１１の先端面１０側には、図示しない使用者の肌に接触しても、その肌を傷付けないソフトタッチな図示しない保護板（例えば、強化ガラスや、透明な硬質樹脂板など）が前記先端面１０と面一状に配置されている。
【００１４】
更に、前記ヘッド８は、前記ケース２に対し、図１（Ａ）〜（Ｄ）に示すように、平面視が緩い山形形状で且つ側面視が直線状の接続部１２，１３を介して、着脱自在とされている。即ち、ケース２側における断面がＬ字形状の接続部１２には、図１（Ｄ）中の一点鎖線部分ｄを拡大した図１（ｄ）に示すように、該接続部１２における水平な各先端片に、一対の前記側面３側ごとに開口する凹部１４が配設されている。一方、前記ヘッド８側における接続部１３の水平な各先端片の内側面には、上記凹部１４内に個別に進入可能な凸部１５が突設されている。
【００１５】
即ち、図１（Ｃ），（Ｄ）中の白抜きの矢印で示すように、前記ヘッド８側における接続部１３の水平な一対の先端片を外側向きに若干弾性変形させると、前記凸部１５が、前記ケース２側の接続部１２における前記凹部１４ごとから個別に抜け出すので、ヘッド８を前記フィルター９と共に、前記ケース２から取り外すことができる。一方、上述と逆の操作を行うことで、ヘッド８をケース２の先端側に装着することができる。
【００１６】
そのため、例えば、予め、別のヘッド８を用意しておき、該ヘッド８内に、例えば、波長が６４０〜１２００ｎｍの光のみを透過する別のフィルター（９）を内蔵したものと取り替えることも可能となる。
従って、前記のような美容器１によれば、波長が６３３〜６５０ｎｍの範囲にある光のみを透過する前記フィルター９を内蔵したヘッド８を、前記ケース２の先端側に装着することで、使用者の肌に対して、新たな美容効果を与えることが可能になる。更に、前記ヘッド８をケース２から取り外した後、波長が６４０〜１２００ｎｍの光のみを透過する別のフィルター（９）を内蔵した別のヘッド８と取り替えることによって、脱毛用にも適用することもできる。
【００１７】
図２（Ａ）は、前記形態とは異なる形態の美容器２０を示す側面図、図２（Ｂ）は、一部に断面図を含む前記美容器２０の同様な側面図である。尚、これらの図面中では、左側を後端側と称し、右側の底辺側を先端側と称する。
上記美容器２０は、主に業務用に用いられ、図２（Ａ）に示すように、側面視が楕円形状の本体２２と、該本体２２から後端側に円柱（棒）形状に延びた電源部２１と、から構成されている。
【００１８】
前記本体２２の底面側には、平坦な先端面２３が位置し、該本体２２の上端側には、側面視が楕円形の中空部２６を介して、上向きに緩く湾曲した取手２５が形成されている。該取手２５は、使用者が片手で本美容器２０を掴み易くするためのものである。更に、該本体２２の図示で中程には、横長の細孔３１が開口し、該細孔３１から平面視が円弧形状である回転式のスイッチ３０が当該本体２２の外側に突出している。該スイッチ３０は、オンオフ操作のほか、電力などのパワー調整もできる。
【００１９】
また、前記本体２２の先端面２３には、図２（Ａ）中の矢印で示すように、透明なホルダー２８に設けた３つの凹所２７ごとに個別にセットされた前記同様のフィルター９が、前記ホルダー２８ごと着脱自在とされている。尚、前記ホルダー２８は、例えば、硬質の合成樹脂あるいは強化ガラスなどからなる。
更に、前記本体２２の電源部２１には、電源コード２４が接続され、該コード２４は、図２（Ｂ）に示す本体２２に内蔵された前記同様の制御回路６に電気的に接続されている。図２（Ｂ）に示すように、前記制御回路６から先端面２３側に向かって、前記同様である３つの光源部７が並行に突出して接続され、該３つの光源部７は、先端面２３に開設された３つの通し孔２９を個別に介して、前記ホルダへ２８内の３つのフィルター９と個別に対向している。
【００２０】
即ち、前記美容器２０では、本体２２に内蔵された３つの光源部７から個別に照射された光Ｌは、前記本体２２に対し前記ホルダー２８を介して着脱自在とされた各フィルター９を個別に透過して、図示しない使用者の肌に照射される。
従って、前記のような美容器２０によれば、前記ホルダー２８の凹所２７ごとにセットする複数種のフィルター９，（９）を取り替えることにより、使用者の肌に対して、新たな美容効果を与えたり、脱毛用に適用したりすることができる。
【００２１】
尚、前記ホルダー２８は、３つの前記凹所２７が、図２（Ａ），（Ｂ）の前後方向な沿って配置され、且つ３つの前記光源部７も同様に配置した形態としても良い。また、ホルダー２８の前記凹所２７は、１つまたは２つとしたり、あるいは４つ以上とした形態としても良い。更に、３つ以上の凹所２７は、図２（Ａ），（Ｂ）の平面視で、直線状に配置する他、三角形以上の正多角形の角部ごとの位置に形成した形態としたり、これら正多角形の中心の位置にも追加して配置した形態としても良い。
【００２２】
本発明は、以上において説明した各形態に限定されるものではない。
例えば、前記美容器１の本体２およびヘッド８は、これら全体の外観が円柱形、あるいは多角柱形状を呈するスティック型の形態としても良い。
また、前記フィルター９は、カラーフィルター、ダイクロイックフィルター、ロングパスフィルター、あるいは、ショートパスフィルターとしても良い。
更に、前記フィルター９は、前記美容器２０の本体２２における先端面２３に対して、前記ホルダー２８を用いず、直に着脱可能となるようにしても良い。
加えて、前記別のフィルター（９）は、前記脱毛用に限らず、しわ、しみ、ニキビなどの対策用のものとしても良い。
【産業上の利用可能性】
【００２３】
本発明によれば、肌についての新しい美容効果を光照射方式により可能となる。
【符号の説明】
【００２４】
１，２０  美容器
２，２２  本体
７  光源部
８  ヘッド
９  フィルター
Ｌ  光
【図１】
2020182691.tif 000003
【図２】
2020182691.tif 000004